(57)【特許請求の範囲】
【請求項１】
ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、計時部と、制御部と、を備えた便器装置であって、
前記洗浄指示手段による洗浄指示があったときに、前記便蓋が開いているときには、前記便蓋駆動部による前記便蓋の閉動作が開始し、前記便蓋の閉止後に、前記便器洗浄部による洗浄動作が行われるシーケンス動作が許容されており、
前記洗浄指示手段による洗浄指示には、タイマー設定による洗浄指示が含まれており、
前記制御部は、
前記タイマー設定による洗浄指示があったときには、前記便蓋の開状態での前記シーケンス動作を禁止し、前記便蓋の開閉状態にかかわらず、前記便器洗浄部に前記ボウルの洗浄動作をさせることを特徴とする便器装置。
【請求項２】
ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、計時部と、制御部と、を備えた便器装置であって、
前記洗浄指示手段による洗浄指示があったときに、前記便蓋が開いているときには、前記便蓋駆動部による前記便蓋の閉動作が開始し、前記便蓋の閉止後に、前記便器洗浄部による洗浄動作が行われるシーケンス動作が許容されており、
前記洗浄指示手段による洗浄指示には、タイマー設定による洗浄指示が含まれており、
前記制御部は、
前記タイマー設定による洗浄指示があったときには、前記便蓋の開状態での前記シーケンス動作を禁止し、当該洗浄指示を取り消し、前記タイマー設定の設定変更を行うことを特徴とする便器装置。
【請求項３】
便座と、便蓋と、該便蓋の開閉を検知する便蓋開閉検知部と、前記便蓋を開閉する便蓋駆動部と、便器本体に対し洗浄指示を出力するボウル洗浄指示手段と、便座側制御部と、を備え、前記便器本体に取りつけられる便座装置であって、
前記ボウル洗浄指示手段または前記便器本体による洗浄指示があったときに、前記便蓋が開いているときには、前記便蓋駆動部による前記便蓋の閉動作が開始し、前記便蓋の閉止後に、前記便器本体に対し洗浄指示を出力するシーケンス処理が許容されており、
前記便器本体による洗浄指示には、タイマー設定による洗浄指示が含まれており、
前記便座側制御部は、
前記タイマー設定による洗浄指示があったときには、前記便蓋の開状態での前記シーケンス処理を禁止し、前記便蓋の開閉状態にかかわらず、前記便器本体に対し洗浄指示を出力することを特徴とする便座装置。
【請求項４】
便座と、便蓋と、該便蓋の開閉を検知する便蓋開閉検知部と、前記便蓋を開閉する便蓋駆動部と、便器本体に対し洗浄指示を出力するボウル洗浄指示手段と、便座側制御部と、を備え、前記便器本体に取りつけられる便座装置であって、
前記ボウル洗浄指示手段または前記便器本体による洗浄指示があったときに、前記便蓋が開いているときには、前記便蓋駆動部による前記便蓋の閉動作が開始し、前記便蓋の閉止後に、前記便器本体に対し洗浄指示を出力するシーケンス処理が許容されており、
前記便器本体による洗浄指示には、タイマー設定による洗浄指示が含まれており、
前記便座側制御部は、
前記タイマー設定による洗浄指示があったときには、前記便蓋の開状態での前記シーケンス処理を禁止し、当該洗浄指示を取り消し、前記タイマー設定の設定変更を行うことを特徴とする便座装置。
【発明の詳細な説明】
【技術分野】
【０００１】
本発明は、便蓋と便蓋駆動部とを有する便器装置、および便器本体に取りつけて使用される、便蓋と便蓋駆動部とを有する便座装置に関する。
【背景技術】
【０００２】
近時、便器洗浄時における排泄物に含まれる汚染物質の拡散防止の観点から、ボウルに排泄した便に含まれる汚染物質を含んだ飛沫が便器の外部に飛散しないように、排泄後には便蓋を閉じた状態でボウルを洗浄することが奨励されている。
【０００３】
このような便蓋の閉じた状態でのボウル洗浄を確実に実施させるために、洗浄指示があったときに、まず便蓋を便蓋駆動部により電動で閉止させ、その後ボウルの洗浄を行う便器装置が提案されている（例えば、特許文献１参照）。
【先行技術文献】
【特許文献】
【０００４】
【特許文献１】特開平０７−１５８１４２号公報
【発明の概要】
【発明が解決しようとする課題】
【０００５】
ところで、便器装置における便器洗浄としては、排便・排尿の際に洗浄操作部の操作や便座を離座したタイミングでなされるものの他、排便・排尿のタイミングとは関係なく定期、不定期に自動的に実施されるタイマー洗浄がある。タイマー洗浄としては例えば、２４時間、便器洗浄がなされていない場合に所定のタイミングに実行される自動掃除（洗浄）などが含まれる。
【０００６】
したがって、洗浄指示があったときに便蓋の閉動作、ボウルの洗浄のシーケンス動作が実施される便器装置であれば、タイマー洗浄の場合にも、そのようなシーケンス動作が実施されることとなる。
【０００７】
しかしながら、このようなタイマー洗浄のタイミングが使用者の便器使用と重なる場合があり、不都合が生じる可能性がある。例えば、男子が立位で排尿しようとしたタイミングにタイマー洗浄が重なった場合、タイマー洗浄でのシーケンス動作により便蓋が閉じようとするため、使用者は排尿ができなくなる。特に、排尿中のときにタイマー洗浄のタイミングになった場合、閉じようとする便蓋や床に尿が飛散するおそれがある。
【０００８】
本発明は、このような事情を考慮して提案されたもので、その目的は、タイマー設定による自動洗浄が使用者の使用の邪魔になることを防止できる便器装置および便座装置を提供することにある。
【課題を解決するための手段】
【０００９】
上記目的を達成するために、本発明の便器装置は、ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、計時部と、制御部と、を備えた便器装置であって、前記洗浄指示手段による洗浄指示があったときに、前記便蓋が開いているときには、前記便蓋駆動部による前記便蓋の閉動作が開始し、前記便蓋の閉止後に、前記便器洗浄部による洗浄動作が行われるシーケンス動作が許容されており、前記洗浄指示手段による洗浄指示には、タイマー設定による洗浄指示が含まれており、前記制御部は、前記タイマー設定による洗浄指示があったときには、前記便蓋の開状態での前記シーケンス動作を禁止し、前記便蓋の開閉状態にかかわらず、前記便器洗浄部に前記ボウルの洗浄動作をさせることを特徴とする。
【００１０】
本発明の他の便器装置は、ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、計時部と、制御部と、を備えた便器装置であって、前記洗浄指示手段による洗浄指示があったときに、前記便蓋が開いているときには、前記便蓋駆動部による前記便蓋の閉動作が開始し、前記便蓋の閉止後に、前記便器洗浄部による洗浄動作が行われるシーケンス動作が許容されており、前記洗浄指示手段による洗浄指示には、タイマー設定による洗浄指示が含まれており、前記制御部は、前記タイマー設定による洗浄指示があったときには、前記便蓋の開状態での前記シーケンス動作を禁止し、当該洗浄指示を取り消し、前記タイマー設定の設定変更を行うことを特徴とする。
【００１１】
また、本発明の便座装置は、便座と、便蓋と、該便蓋の開閉を検知する便蓋開閉検知部と、前記便蓋を開閉する便蓋駆動部と、便器本体に対し洗浄指示を出力するボウル洗浄指示手段と、便座側制御部と、を備え、前記便器本体に取りつけられる便座装置であって、前記ボウル洗浄指示手段または前記便器本体による洗浄指示があったときに、前記便蓋が開いているときには、前記便蓋駆動部による前記便蓋の閉動作が開始し、前記便蓋の閉止後に、前記便器本体に対し洗浄指示を出力するシーケンス処理が許容されており、前記便器本体による洗浄指示には、タイマー設定による洗浄指示が含まれており、前記便器側制御部は、前記タイマー設定による洗浄指示があったときには、前記便蓋の開状態での前記シーケンス処理を禁止し、前記便蓋の開閉状態にかかわらず、前記便器本体に対し洗浄指示を出力することを特徴とする。
【００１２】
本発明の他の便座装置は、便座と、便蓋と、該便蓋の開閉を検知する便蓋開閉検知部と、前記便蓋を開閉する便蓋駆動部と、便器本体に対し洗浄指示を出力するボウル洗浄指示手段と、便座側制御部と、を備え、前記便器本体に取りつけられる便座装置であって、前記ボウル洗浄指示手段または前記便器本体による洗浄指示があったときに、前記便蓋が開いているときには、前記便蓋駆動部による前記便蓋の閉動作が開始し、前記便蓋の閉止後に、前記便器本体に対し洗浄指示を出力するシーケンス処理が許容されており、前記便器本体による洗浄指示には、タイマー設定による洗浄指示が含まれており、前記便器側制御部は、前記タイマー設定による洗浄指示があったときには、前記便蓋の開状態での前記シーケンス処理を禁止し、当該洗浄指示を取り消し、前記タイマー設定の設定変更を行うことを特徴とする。
【発明の効果】
【００１３】
本発明の便器装置および便座装置はそれぞれ上述した構成とされているため、タイマー設定による自動洗浄が使用者の使用の邪魔になることを防止することができる。
【図面の簡単な説明】
【００１４】
【図１】本発明の一実施形態に係る便器装置の基本ブロック図である。
【図２】（ａ）は同便器装置の内部を模式的に示した模式的側面図、（ｂ）は他例の便器装置の内部を模式的に示した模式的側面図である。
【図３】図１の便器装置の一態様に係る基本動作を示すフローチャートである。
【図４】同便器装置の他の態様に係る基本動作を示すフローチャートである。
【図５】（ａ）は本発明の他の実施形態に係る便器装置およびそれに用いられる便座装置の基本ブロック図であり、（ｂ）は同便器装置の内部を模式的に示した模式的側面図である。
【発明を実施するための形態】
【００１５】
以下に、本発明の実施の形態について添付図面を参照しながら説明する。以下に説明する便器装置１、３は、排泄物に含まれる汚染物質の拡散防止の観点から、便蓋２０の閉状態でのボウル１２の洗浄を原則としたものである。そのため、洗浄指示があったときに、便蓋２０、４０が開いているときには、便蓋駆動部２２、４２による便蓋２０、４０の閉動作が開始し、便蓋２０、４０の閉止後に、便器洗浄部１３による洗浄動作が行われるシーケンス動作が実行される。本便器装置１、３は、タイマー設定による洗浄指示の場合に、そのようなシーケンス動作が実行されないようにしてある。
【００１６】
まず、本実施形態に係る便器装置１の概要について以下に記述する。この便器装置１は図１、図２に示した構成の装置であり、図３、図４の複数の態様の基本動作を択一的に実行可能としたものである。
【００１７】
本便器装置１は、ボウル１２と、ボウル１２へ洗浄水を供給しボウル１２内を洗浄する便器洗浄部１３と、便蓋２０と、便蓋２０の開閉を検知する便蓋開閉検知部２１と、便蓋２０を開閉する便蓋駆動部２２と、を備えている。また本便器装置１は、便器洗浄部１３に対する洗浄指示を出力する洗浄指示手段と、計時部６と、制御部５と、を備えている。ここで、洗浄指示手段としては、使用者の洗浄操作によるものや、使用者の動作にもとづく自動的なものがあるが、詳細については後述する。
【００１８】
本便器装置１は、洗浄指示手段による洗浄指示があったときに、便蓋２０が開いていれば、便蓋駆動部２２による便蓋２０の閉動作が開始し、便蓋２０の閉止後に、便器洗浄部１３による洗浄動作が行われるシーケンス動作が許容されている。
基本動作としては複数の態様のものがある。
【００１９】
図３に例示した態様では、制御部５は、タイマー設定による洗浄指示があったときには、便蓋２０の開状態での上記シーケンス動作（便蓋２０の閉動作とそれに続く洗浄）を禁止し、便蓋２０の開閉状態にかかわらず、便器洗浄部１３にボウル１２の洗浄動作をさせる。
【００２０】
図４に例示した態様では、制御部５は、タイマー設定による洗浄指示があったときには、便蓋２０の開状態での上記シーケンス動作を禁止し、当該洗浄指示を取り消し、タイマー設定の設定変更を行う。
【００２１】
以上のいずれかの動作が実行されることで、タイマー設定による洗浄が使用者の使用タイミングに実施された場合でも、使用者の使用が邪魔されることはほとんどなく、不都合は生じにくい。
つぎに便器装置１の詳細な構成、構造および基本動作について説明する。
【００２２】
図１〜図４は便器装置１の説明図である。上述したように、図３は本便器装置１の一動作態様、図４は他の動作態様に関する説明図である。なお、図２（ａ）（ｂ）は、洗浄方式（構造）が相異する２形態を示す便器装置１の内部を模式的に示した模式的側面図であり、いずれの方式のものであってもよい。
【００２３】
便器装置１は、トイレ空間内の床や壁などに固定される腰掛式の洋風便器装置である。この便器装置１の本体１０は、上方に向けて開口したボウル１２がスカート部１１に囲まれるように内装され、ボウル１２の上側にはボウル１２の開口面に対し起倒自在とした、それぞれが回転動作をなす便座２４、便蓋２０を備えている。
【００２４】
スカート部１１の内部空間には、ボウル１２内の汚水を排出するとともに、給水口１４からボウル１２内に洗浄水を供給しボウル１２内を洗浄する便器洗浄部１３が配されている。この便器洗浄部１３は給水機構と排水機構とを有する。
【００２５】
給水機構は、給水口１４と、水道管（不図示）から供給される洗浄水をボウル１２内に給水口１４を通じて供給する洗浄水供給路１５と、洗浄水供給路１５の途中に配されている、ボウル１２への給水を供給または遮断する給水弁１６とを備えている。
【００２６】
図２（ａ）に示した排水機構は、ボウル１２の底部より後方に延びるように接続された筒状の屈曲状のトラップ１７を有し、そのトラップ１７がさらに下方に延び排水口１８に接続されている。この種の排水機構としては、サイホン式やサイホンゼット式、サイホンボルテックス式などがあり、サイホン作用により排水状態または封水状態が形成される機構とされている。
【００２７】
また排水機構としては、図２（ｂ）に示すような可動式のトラップ１７Ａを有した構造のものであってもよい。このトラップ１７Ａは、駆動部（不図示）によって矢印方向に回動されて排水状態または封水状態を形成する。図例のトラップ１７Ａは封水状態での位置にあり、排水状態ではトラップ１７Ａの開放端が排水口１８に向くように回転動作する。なおトラップ１７Ａはトラップケース（不図示）に囲まれて、汚水や臭気が外部に漏れないようになっている。
【００２８】
また便器装置１には、サイホン式、可動式のいずれでもない排水機構、例えば洗い落とし式の排水機構も適用可能である。
【００２９】
また、図例では、便器装置１を、水洗タンク（ロータンク）を備えていない、水道直結式のタンクレスタイプとした例を示しているが、水洗タンクを備えた構成としてもよい。
【００３０】
また便器装置１は、上述したように、図１にも示すように、便蓋開閉検知部２１と、便蓋駆動部２２とを備え、さらに便蓋駆動部２２に対する使用者からの開閉指示を受けつける便蓋操作部２３とを備えている。さらに便器装置１は、便座２４と、便座２４の開閉を検知する便座開閉検知部２５と、便座２４を開閉する便座駆動部２６と、便座駆動部２６に対する開閉指示を受けつける便座操作部２７とを備え、さらに着座検知部２８も備えている。
【００３１】
着座検知部２８としては、例えば便座２４に内装された、着座／離座を検知する荷重センサーや、便座２４の回転軸部の近傍より着座／離座を検知する赤外線センサーなどが採用される。便蓋開閉検知部２１および便座開閉検知部２５としては、開角度により開閉状態を検知する構成とされたものが採用される。
【００３２】
便蓋駆動部２２および便座駆動部２６は、それぞれモーターなどで構成されている。便蓋駆動部２２は便蓋操作部２３からの指示があった場合などに便蓋２０を電動で開閉し（起倒させ）、便座駆動部２６は便座操作部２７からの指示があった場合などに便座２４を電動で開閉する（起倒させる）。
【００３３】
なお本明細書においては、便蓋２０、便座２４のいずれにおいても、略垂直状に起立した状態を開状態といい、略水平状に倒れ、ボウル１２の開口面に対し略平行とした状態を閉状態という。
【００３４】
本便器装置１では、便蓋操作部２３などにより便蓋２０の閉動作の指示があったときに便蓋２０、便座２４がともに開状態であれば、まず便座２４が閉動作をなし、閉止（閉状態で停止）後に、便座２４の閉動作に連動するように、便蓋２０が閉動作をなす。また、便座操作部２７などにより便座２４の開動作の指示があったときに便座２４、便蓋２０がともに閉状態であれば、まず便蓋２０が開動作をなし、開止（開状態で停止）後に、便蓋２０の開動作に連動するように、便座２４が開動作をなす。
【００３５】
便器装置１はさらに、ボウル１２内を脱臭する脱臭装置や、便座２４を温める加熱装置、局部を洗浄する局部洗浄装置などの各種機能装置を備えた構成としてもよい。
【００３６】
さらに便器装置１は洗浄操作部２９を備えている。この洗浄操作部２９は、洗浄の指示を、後述する制御部５を介して便器洗浄部１３に対して出力する大便用洗浄ボタン２９ａおよび小便用洗浄ボタン２９ｂを備えている。
【００３７】
なお、洗浄操作部２９は本体操作部（不図示）、リモコン（不図示）のいずれにも配されていることが望ましい。これらには、各種の操作や設定などができる操作スイッチや操作ボタンなども設けてある。リモコンとしては赤外線通信のものが好適に用いられる。リモコンには送信部（不図示）、本体１０には受信部（不図示）が設けてあることはいうまでもない。
【００３８】
洗浄操作部２９の操作は洗浄指示手段として作用するが、さらに、着座検知部２８により検知された、着座中から離座への状態変化も洗浄指示手段として作用する。つまり、人が着座中のときに便座２４から立ち上がった際には、洗浄ボタンの操作に代えて自動洗浄がなされる。
【００３９】
また、大便用洗浄ボタン２９ａおよび小便用洗浄ボタン２９ｂの両方を設けずに、１つの洗浄ボタンで洗浄指示を出力する構成としてもよい。つまり、その場合のボウル１２への洗浄水の水量としては、大便用大容量、小便用小容量の区別がなく、大便用大容量の１種類のみとされる。
【００４０】
またさらに、便器装置１は、タイマー洗浄設定部８を備えている。タイマー洗浄設定部８は、使用者の排便、排尿とは無関係に実行される、定期便器洗浄や自動掃除機能などのタイマー洗浄を設定するための操作設定部である。タイマー洗浄は、長時間使用しない場合にボウル１２を洗浄する機能であり、制御部５、計時部６および便器洗浄部１３の協働により定期的な掃除が行われる。
【００４１】
例えば、あまり使用されない夜間の定時に、つまり２４時間間隔や、留守中に６時間間隔で、自動洗浄がなされる。またタイマー洗浄には、最後に使用してから６時間経過するまでに使用されなかった場合、６時間経過時に洗浄するようなものも含まれる。
【００４２】
タイマー洗浄設定部８は、このような洗浄タイミングに関する種々の設定に用いられる。洗浄タイミングが設定されれば、その時刻になったとき、あるいは所定時間が経過したときに、便器洗浄部１３により洗浄が開始される。このようなタイマー設定による洗浄指示も、洗浄指示手段による洗浄指示として含まれる。
【００４３】
便器装置１は、上記制御対象（便器洗浄部１３の給水弁１６や便蓋駆動部２２、便座駆動部２６など）を制御する一方、洗浄操作部２９や便蓋開閉検知部２１、便座開閉検知部２５、着座検知部２８などの出力信号を受ける制御部５を備えている。この制御部５はＣＰＵやＭＰＵなどのプロセッサおよび種々のプログラムを含んで構成される。便器装置１はさらに、タイマー洗浄などで動作する計時部６および電源部（不図示）を備えている。
【００４４】
また、便器装置１は、装置の異常や状態、ガイダンスを音や音声合成で報知するスピーカなどで構成された報知部７を備えている。なお報知部７としては、音出力のものに代えてあるいは加えて、ＬＥＤなどのディスプレイを備えた構成としてもよい。
【００４５】
ついで、この便器装置１の基本動作について、図３および図４のフローチャートにもとづいて説明する。これらの動作はいずれも、洗浄指示手段による洗浄指示があったときの制御部５による動作である。
【００４６】
便器装置１は、洗浄指示があったときに図３または図４の動作が実行される動作構成となっていればよいが、いずれかの動作が実行されるように便器装置１に対する設定で変更できるようにしてあってもよい。
【００４７】
以下の動作説明においては、便蓋２０の開閉状態の検知や便座２４の開閉状態の検知は各検知部によるものであるが、それらの検知部の動作の説明については省略する。また、便蓋２０の開閉動作や便座２４の開閉動作は各駆動部によるものであるが、それらの駆動部の動作の説明については省略する。
【００４８】
まず、図３の動作について、ステップＳ１００〜Ｓ１１１で示されるフローチャートに沿って説明する。なお以下の説明では、図３、図４の動作ステップについて、「ステップＳ×××」と記述するところを、符号のみの「Ｓ×××」と略記した。
【００４９】
洗浄指示手段による洗浄指示を受けたときには、まずそのことが例えば電子音の「ピピッ」などで報知部７より報知される（Ｓ１００、Ｓ１０１）。そして、洗浄指示がタイマー設定によるものかどうかが判別され、タイマー洗浄でなければ、便蓋２０の開／閉状態が判別され、閉状態であれば、その後すぐにボウル１２の洗浄が実行される（Ｓ１０２のＮ、Ｓ１０３のＮ、Ｓ１０９）。また、着座中の場合にも、ボウル１２の洗浄が実行される（Ｓ１０４のＹ、Ｓ１０９）。
【００５０】
図３には示されていないが、洗浄終了後には便蓋２０は開動作し、開状態となってから一定時間後に、開状態となった便蓋２０は閉動作して、閉止して待機状態（便蓋２０が閉じた状態）となるようにしてもよい。
【００５１】
この洗浄後の便蓋２０の開動作は、洗浄後のボウル１２内に汚物の残存を使用者が確認するために実行される動作である。つまり使用者は、洗浄後にボウル１２内の確認のために手動で便蓋２０を開く必要はない。
【００５２】
なお、上記一定時間のディレイに代えて、人感センサーにより人が検知されなくなったタイミングで待機状態に戻してもよい。もちろん、使用者が便蓋操作部２３で便蓋２０を閉動作させることができるので、自動で待機状態に戻さなくてもよい。
【００５３】
着座中でなく便座２４が閉状態であればその後、また（着座中ではなく）便座２４が開状態であれば便座２４の閉動作が実行され、便座２４が閉止した後に、便蓋２０の閉動作が実行される（Ｓ１０４のＮ、Ｓ１０５〜Ｓ１０７）。そして便蓋２０が閉止すれば、洗浄指示のときとは異なる電子音「ピッ」などで便蓋２０の閉止が報知され、ボウル１２の洗浄が実行される（Ｓ１０８、Ｓ１０９）。なお、便蓋２０の閉止を報知するのではなく、洗浄を実行することを報知してもよい。つまりその場合には、洗浄指示後の便蓋２０閉（Ｓ１０３のＮ）のときにも報知される。
【００５４】
このように、洗浄操作部２９による洗浄指示や、着座中から離座への状態変化の検出による自動洗浄指示のときには、以上の動作が実行される。すなわち、便器装置１は便蓋２０が閉じた状態での洗浄が前提とされ、洗浄指示手段による洗浄指示があったときに、便蓋２０が開いていれば、便蓋２０が閉動作し、便蓋２０の閉止後に、便器洗浄部１３による洗浄動作が行われるシーケンス動作が実行される。もちろん便座２４が開いていれば、便蓋２０の閉動作に先立って便座２４の閉動作が実行される。
【００５５】
一方、洗浄指示がタイマー設定によるものであるときには、上記シーケンス動作は禁止される。すなわち、便蓋２０の開閉状態にかかわらず、タイマー洗浄が行われることが電子音「ピッピッピー」などで報知され、シーケンス動作の代わりに、ボウル１２の洗浄動作が実行される（Ｓ１０２のＹ、Ｓ１１０、Ｓ１１１）。
【００５６】
このように、タイマー洗浄が実行されるときには、便座２４、便蓋２０の閉動作が実行されないため、便座２４、便蓋２０の閉動作により使用者の使用が邪魔されることを回避できる。例えば、男子立位での排尿タイミングにタイマー洗浄タイミングが重なった場合でも、便座２４や便蓋２０は動かずボウル１２の洗浄がなされるだけなので、使用者は慌てずに排尿することができる。そのため、便座２４や便蓋２０、床などに尿が飛散することを防止することができる。
【００５７】
ついで、図４の動作について、フローチャート（Ｓ２００〜Ｓ２１５）に沿って説明する。
【００５８】
洗浄指示手段による洗浄指示を受けたときには、まず洗浄指示がタイマー設定によるものかどうかが判別され、タイマー洗浄でなければ、洗浄指示を受けたことが電子音「ピピッ」などで報知される（Ｓ２０１のＮ、Ｓ２０２）。
【００５９】
つぎに便蓋２０の開／閉状態が判別され、閉状態であれば、その後すぐにボウル１２の洗浄が実行される（Ｓ２０３のＮ、Ｓ２０９）。また、着座中の場合にも、ボウル１２の洗浄が実行される（Ｓ２０４のＹ、Ｓ２０９）。
【００６０】
図４には図示されていないが、洗浄終了後には便蓋２０は開動作し、開状態となってから一定時間後に、開状態となった便蓋２０は閉動作して、閉止して待機状態（便蓋２０が閉じた状態）となるようにしてもよい。
【００６１】
着座中ではなく便座２４が閉状態であればその後、また（着座中ではなく）便座２４が開状態であれば便座２４の閉動作が実行され、便座２４が閉止した後に、便蓋２０の閉動作が実行される（Ｓ２０４のＮ、Ｓ２０５〜Ｓ２０７）。そして便蓋２０が閉止すれば、洗浄指示のときとは異なる電子音「ピッ」などで便蓋２０の閉止が報知され、ボウル１２の洗浄が実行される（Ｓ２０８、Ｓ２０９）。なお、便蓋２０の閉止を報知するのではなく、洗浄を実行することを報知してもよい。つまりその場合には、洗浄指示後の便蓋２０閉（Ｓ２０３のＮ）のときにも報知される。
【００６２】
このように、洗浄操作部２９による洗浄指示や、着座中から離座への状態変化の検出による自動洗浄指示のときには、以上の動作が実行される。すなわち、便器装置１は便蓋２０が閉じた状態での洗浄が前提とされ、洗浄指示手段による洗浄指示があったときに、便蓋２０が開いていれば、便蓋３０が閉動作し、便蓋２０の閉止後に、便器洗浄部１３による洗浄動作が行われるシーケンス動作が実行される。もちろん便座２４が開いていれば、便蓋２０の閉動作に先立って便座２４の閉動作が実行される。
【００６３】
一方、洗浄指示がタイマー設定によるものであり、かつ便蓋２０が開状態であれば、上記シーケンス動作は禁止される。すなわち、そのタイマー洗浄は取り消され、洗浄タイミングが例えば２、３０分、先送りするように変更される（Ｓ２０１のＹ、Ｓ２１０のＹ、Ｓ２１１、Ｓ２１２）。そして、洗浄指示が取り消されたことおよび洗浄が先送りされたことが電子音「ピピッ、ピピッ」などで報知される（Ｓ２１３）。なお、図４の動作フローにおいて、タイマー洗浄の取り消し自体は、洗浄に移行しないロジックとしているだけであり、洗浄の取り消しの特別な処理を行うわけではないため、洗浄取り消しは破線で示した（Ｓ２１１）。
【００６４】
また、便蓋２０が閉状態であれば、タイマー洗浄が行われることが電子音「ピッピッピー」などで報知され、ボウル１２の洗浄動作が実行される（Ｓ２１０のＮ、Ｓ２１４、Ｓ２１５）。なお、この場合は、洗浄指示があったとき便蓋２０が閉状態であるので当然にシーケンス動作はない。
【００６５】
このように、便蓋２０が開いていればタイマー洗浄が取り消されるため、便蓋２０の閉動作により使用者の使用が邪魔されることを防止することができる。例えば、男子立位での排尿タイミングにタイマー洗浄が重なった場合でも、ボウル１２の洗浄はなされないため、使用者は通常どおりの排尿を行うことができる。
【００６６】
なお、男子立位での排尿とタイマー洗浄とが重なることだけを考慮すれば、タイマー洗浄の取り消し実行は、便蓋２０が開いていることだけを条件とはせず、便蓋２０、便座２４の両方が開いていることを条件としてもよい。
【００６７】
また、本便器装置１は、着座が検出されていない便座２４が閉状態で便蓋２０が２０分間開いていることを条件として自動的に閉止する動作構成とされている。そのため、便蓋２０が開いている状態でタイマー洗浄が先送りされた場合であっても、先送りタイミングでは便蓋２０が閉状態となっている可能性が高く、よってそのときのタイマー洗浄は先送りされた時刻どおりに実行されやすい。
【００６８】
なお、２０分間の非着座状態で便蓋２０が閉止するものであれば、便蓋２０が閉じている時間は長くなる。そのため図３の場合においても、男子立位の排尿時以外では便蓋２０が閉じている可能性が高く、便蓋２０が開いている状態でのタイマー洗浄を少なくすることができる。
【００６９】
便器装置１は以上のものに限られず、便座２４と便蓋２０とが一体として取り替え可能なものであってもよい。特に図５に示すような便座装置３０が後付けされた（あるいは取り替えられた）便器装置３であってもよい。図５（ａ）（ｂ）にもとづいて、本発明の他の実施形態に係る便器装置３の基本構成について説明する。なお本実施形態では、図５（ｂ）に可動式のトラップ１７Ａを例示したが、便器本体がサイホン式のトラップ１７（図２（ａ）参照）を有したものや、その他の方式のものにも適用は可能である。
【００７０】
具体的には便器装置３は、ボウル１２と、ボウル１２へ洗浄水を供給しボウル１２内を洗浄する便器洗浄部１３と、便座装置３０と、便器洗浄部１３に対し洗浄の指示を出力する洗浄操作部２９とを備えている。便器装置３はさらに、制御部５と、計時部６と、報知部７と、タイマー洗浄設定部８とを備えている。
【００７１】
便座装置３０は、便器装置３の便器本体（便座装置３０を除く部位）とは着脱可能な別体とされている。便座装置３０は、便蓋４０、便蓋開閉検知部４１、便蓋駆動部４２、便蓋操作部４３、便座４４、便座開閉検知部４５、便座駆動部４６、便座操作部４７、着座検知部４８、ボウル洗浄操作部４９、便座側制御部３５、報知部３７を備えている。また、便座装置３０、便器本体間では信号の送受が可能とされている。
【００７２】
なお、便座装置３０を除く便器装置３（便器本体）の構成は図１のものとおおむね同様であるため、詳細な説明は省略する。また、便座装置３０が備える、便蓋４０、便蓋開閉検知部４１、便蓋駆動部４２、便蓋操作部４３、便座４４、便座開閉検知部４５、便座駆動部４６、便座操作部４７、着座検知部４８についても図１のものとおおむね同様であり、その説明を省略する。
【００７３】
図６の便座装置３０は、便座装置３０側より便器洗浄部１３に対しボウル１２の洗浄指示が出力できる構成とされている。具体的には、便座装置３０は、ボウル洗浄操作部４９より洗浄の指示があったときに、便座側制御部３５がこれを受けて、便器本体側の制御部５を通じて、便器洗浄部１３を制御してボウル１２の洗浄ができるようになっている。また、便座側制御部３５が直接、便器洗浄部１３を制御する構成としてもよい。
【００７４】
なお、図６に示すように、便器装置３は便座装置３０側のボウル洗浄操作部４９だけではなく、本体側の洗浄操作部２９をも含んだ構成とされている。つまり、図６のものは、洗浄操作部２９、ボウル洗浄操作部４９のいずれでも洗浄指示ができる構成とされている。また、本体側に洗浄操作部２９を設けずに、ボウル洗浄操作部４９でのみ洗浄指示ができる構成であってもよい。なお、ボウル洗浄操作部４９も大便用洗浄ボタンと小便用洗浄ボタンとを有することが望ましい。
【００７５】
ボウル洗浄操作部４９の操作はボウル洗浄指示手段として作用するが、さらに、着座検知部４８により検知された、着座中から離座への状態変化もボウル洗浄指示手段として作用する。つまり、着座中のときに便座４４から立ち上がった際には、洗浄ボタンの操作に代えて自動洗浄がなされる。
【００７６】
また、便器本体による洗浄指示には、図１に示した便器装置１と同様、タイマー設定による洗浄指示が含まれており、便座装置３０は、ボウル洗浄指示手段や便器本体の洗浄操作部２９による洗浄指示の他、タイマー設定による洗浄指示も受けつける。
【００７７】
この便器装置３も、洗浄指示があったときには、図１の便器装置１と同様、図３、図４などの動作が可能とされる。ようするに、便器洗浄部１３は、ボウル洗浄指示手段（ボウル洗浄操作部４９）または便器本体から洗浄の指示があったときには、原則としては、便蓋４０を閉じた状態でボウル１２の洗浄がなされる。しかし例外的に、タイマー設定による洗浄指示を便器本体から受けつけたときには、図３、図４の動作が実行される。
【００７８】
以上のように、本便座装置３０は、便座４４と、便蓋４０と、便蓋４０の開閉を検知する便蓋開閉検知部４１と、便蓋４０を開閉する便蓋駆動部４２と、を備えている。また便座装置３０は、便器本体に対する洗浄指示を受けつけるボウル洗浄指示手段と、便座側制御部３５と、を備えた、便器本体に取りつけられる装置である。ボウル洗浄指示手段または便器本体による洗浄指示があったときに、便蓋２０が開いているときには、便蓋駆動部２２による便蓋２０の閉動作が開始し、便蓋２０の閉止後に、便器本体に対し洗浄指示を出力するシーケンス処理が許容されている。
【００７９】
この洗浄指示を便器本体が受けつければ、便器本体ではボウル１２の洗浄が開始される。つまり、便座装置３０によるシーケンス処理は、便器装置３（便座装置３０と便器本体の協働）によるシーケンス動作（図１で示したシーケンス動作と同等の動作）が実行される。
【００８０】
便座側制御部３５は、タイマー設定による洗浄指示があったときには、便蓋２０の開状態での上記シーケンス処理を禁止し、便蓋２０の開閉状態にかかわらず、便器本体に対し洗浄指示を出力する。つまり、この動作は図３に示したものに対応する。
【００８１】
また、便座側制御部３５は、タイマー設定による洗浄指示があったときには、便蓋２０の開状態での上記シーケンス処理を禁止し、便器本体に対し所定の洗浄キャンセル指示を出力する動作を行ってもよい。この動作は図４に示したものに対応する。なお、便器本体では、このキャンセル指示にもとづいて、タイマー洗浄を先送りする設定変更をすればよい。
【００８２】
便器装置３の動作における洗浄指示タイミングの報知や、便蓋４０の閉止タイミングの報知などの種々の報知については、便座装置３０の報知部３７、便器本体の報知部７のいずれで行ってもよい。
【００８３】
なお、便座装置３０としては図５のものには限らない。便座装置３０としては例えば、局部洗浄装置を備えた構成であってもよいし、種々（例えば局部洗浄装置）の操作や設定ができる便座用操作部（不図示）を有する構成であってもよい。
【符号の説明】
【００８４】
１、３      洋風便器装置
５          制御部
６          計時部
７          報知部
８          タイマー洗浄設定部
１２        ボウル
１３        便器洗浄部
２０        便蓋
２１        便蓋開閉検知部
２２        便蓋駆動部
２３        便蓋操作部
２４        便座
２５        便座開閉検知部
２６        便座駆動部
２７        便座操作部
２８        着座検知部
２９        洗浄操作部
３０        便座装置
３５        便座側制御部
３７        報知部
４０        便蓋
４１        便蓋開閉検知部
４２        便蓋駆動部
４３        便蓋操作部
４４        便座
４５        便座開閉検知部
４６        便座駆動部
４７        便座操作部
４８        着座検知部
４９        ボウル洗浄操作部
【要約】
【課題】タイマー設定による自動洗浄が使用者の使用の邪魔になることを防止できる便器装置および便座装置を提供することにある。
【解決手段】洗浄指示手段による洗浄指示があったときに、便蓋２０が開いているときには、便蓋駆動部２２による便蓋の閉動作が開始し、便蓋２０の閉止後に、便器洗浄部１３による洗浄動作が行われるシーケンス動作が許容されており、洗浄指示手段による洗浄指示には、タイマー設定による洗浄指示が含まれており、制御部５は、タイマー設定による洗浄指示があったときには、便蓋２０の開状態でのシーケンス動作を禁止し、便蓋２０の開閉状態にかかわらず、便器洗浄部１３にボウル１２の洗浄動作をさせる。
【選択図】図１【図１】
0006868840.tif 000002
【図２】
0006868840.tif 000003
【図３】
0006868840.tif 000004
【図４】
0006868840.tif 000005
【図５】
0006868840.tif 000006